(57)【特許請求の範囲】
【請求項１】
主眼鏡に着脱眼鏡を付加的に着脱自在に取り付けるための装置であって、
前記主眼鏡に設けられ磁性体から成るブリッジと、
前記着脱眼鏡に設けられ、主眼鏡のブリッジに少なくとも１面で磁力により吸着する固着部と、
前記固着部に連設され、前記着脱眼鏡が前記主眼鏡に取り付けられた状態において、前記主眼鏡の一対のリムの外周部の両方に係合する位置決定部と
を備える着脱眼鏡取付装置。
【請求項２】
前記固着部が永久磁石を備えることを特徴とする請求項１に記載の着脱眼鏡取付装置。
【請求項３】
前記永久磁石が主眼鏡のブリッジに当接する当接面に露出し、前記当接面と前記永久磁石の露出面とが略同一平面を形成することを特徴とする請求項２に記載の着脱眼鏡取付装置。
【請求項４】
前記固着部の前記１面が、前記ブリッジの前面に当接する背面であることを特徴とする請求項１から３のいずれかに記載の着脱眼鏡取付装置。
【請求項５】
前記位置決定部が前記主眼鏡の一方のリムに係合する第１の位置決定部材と、他方のリムと係合する第２の位置決定部材とを有する請求項１から４のいずれかに記載の着脱眼鏡取付装置。
【請求項６】
前記位置決定部が前記主眼鏡を使用する状態で略水平となる前記ブリッジの上面と当接し、前記固着部が前記主眼鏡を使用する状態で略水平となる前記ブリッジの下面に当接するずれ防止部を備える請求項１から５のいずれかに記載の着脱眼鏡取付装置。
【請求項７】
前記位置決定部が前記主眼鏡を使用する状態で略水平となる上面と当接し、かつ前記上面の長さと略同一となるように形成される請求項１から４のいずれかに記載の着脱眼鏡取付装置。
【請求項８】
前記位置決定部が主眼鏡のブリッジに磁力により吸着することを特徴とする請求項１から７のいずれかに記載の着脱眼鏡取付装置。
【請求項９】
着脱眼鏡取付装置を備え、その着脱眼鏡取付装置によって、付加的に主眼鏡に着脱自在に取り付けられる着脱眼鏡であって、
前記着脱眼鏡取付装置は、主眼鏡の磁性体から成るブリッジに少なくとも１面で磁力により吸着する固着部と、前記固着部に連設され、前記着脱眼鏡が前記主眼鏡に取り付けられた状態において、前記主眼鏡の一対のリムの外周部の両方に係合する位置決定部とを備える着脱眼鏡。
【請求項１０】
前記位置決定部が前記主眼鏡を使用する状態で略水平となる前記ブリッジの上面と当接し、前記固着部が前記主眼鏡を使用する状態で略水平となる前記ブリッジの下面に当接するずれ防止部を備える請求項９に記載の着脱眼鏡。
【発明の詳細な説明】
【０００１】
【発明の属する技術分野】
本発明は、眼鏡のフレームに着脱自在な着脱眼鏡の取付装置に関するものである。
【０００２】
【従来の技術】
従来、主眼鏡に着脱眼鏡が着脱可能に取り付けるためのレンズ部材取付装置として、磁力により固定するものが知られている。例えば、特開平９−１０１４８９号公報に記載されるように、眼鏡側のヨロイ部と着脱眼鏡側のヨロイ部に磁石若しくは磁性体からなる固着部を設け、固着部同士を磁力により固定するタイプのものである。このタイプのものは主眼鏡及び着脱眼鏡に固着部を設けなければならず、部品点数が多くなる。
【０００３】
一方、主眼鏡は通常の眼鏡と同一の形態であることが望ましく、主眼鏡のブリッジを磁性体で形成し、着脱眼鏡のそのブリッジに対応する場所に磁石を設け、磁力により主眼鏡と着脱眼鏡を固定することが提案されている。ところが、この場合、その磁石は主眼鏡のブリッジのどの場所でも付着可能であるので、固定する場所が所定の位置からずれてしまうことがある。さらに固定された後にも、レンズが眼鏡に強固に固定されないため、僅かな力が加わっただけでレンズが所定の位置からずれたり眼鏡から離脱してしまうということもある。
【０００４】
【発明が解決しようとする課題】
本発明は、上記問題点に鑑み主眼鏡側に固着部を形成することなく、容易に着脱眼鏡を所定の位置に固定させることが可能であり、かつ着脱眼鏡が離脱しにくい着脱眼鏡の取付装置を提供することを目的としている。
【０００５】
【課題を解決するための手段】
本発明に係る着脱眼鏡取付装置は、主眼鏡に設けられ磁性体から成るブリッジと、着脱眼鏡に設けられ、主眼鏡のブリッジに少なくとも１面で磁力により吸着する固着部と、固着部に連設され、着脱眼鏡が主眼鏡に取り付けられた状態において、主眼鏡の一対のリムの外周部に係合する位置決定部とを備える。これにより、固着部がブリッジの一定の位置に吸着し、着脱眼鏡が主眼鏡に対して常に同じ状態で取り付けられる。
【０００６】
固着部は永久磁石を備えてもよく、永久磁石が主眼鏡のブリッジに当接する当接面に露出し、その当接面と永久磁石の露出面とが略同一平面を形成することが好ましい。
【０００７】
好ましくは、固着部の１面は、ブリッジの前面に当接する背面である。位置決定部は主眼鏡の一方のリムに係合する第１の位置決定部材と、他方のリムと係合する第２の位置決定部材とを有してもよい。位置決定部が主眼鏡を使用する状態で略水平となる前記ブリッジの上面と当接し、固着部が主眼鏡を使用する状態で略水平となるブリッジの下面に当接するずれ防止部を備えてもよい。これにより、着脱眼鏡に力が加わっても、位置決定部とずれ防止部の作用により、着脱眼鏡が所定の位置からずれることはない。
【０００８】
また、位置決定部は主眼鏡を使用する状態で略水平となる上面と当接し、その上面の長さと略同一となるように形成されてもよい。位置決定部は主眼鏡のブリッジに磁力により吸着してもよい。これにより、さらに離脱しにくい着脱眼鏡の取付装置を得ることができる。
【０００９】
本発明に係る主眼鏡はブリッジが磁性体により形成される。
【００１０】
本発明に係る着脱眼鏡は主眼鏡の磁性体から成るブリッジに少なくとも１面で磁力により吸着する固着部と、固着部に連設され、着脱眼鏡が主眼鏡に取り付けられた状態において、主眼鏡の一対のリムの外周部に係合する位置決定部とを備える。
【００１１】
【発明の実施の形態】
以下、本発明の実施形態について添付図面を参照して説明する。図１は第１の実施形態における主眼鏡１０及びサングラス（着脱眼鏡）２０を示す。主眼鏡１０において、レンズ１１、１２を保持するリム１３、１４はブリッジ１５で連結され、リム１３はヨロイ部１６を介してテンプル１７と連結され、リム１４はヨロイ部１８を介してテンプル１９と連結されている。ブリッジ１５は、主眼鏡を使用する状態で、略垂直となる前面１５ａ及び略水平となる上面１５ｂ及び下面１５ｃを備えており、磁性体から成る。すなわち、主眼鏡１０は、ブリッジ１５が磁性体からなることを除けば、従来用いられている一般的な構成を有する眼鏡である。
【００１２】
着脱眼鏡（サングラス）２０は彩色の施されたレンズ２１、２２と、レンズ２１、２２をそれぞれ保持するリム２３、２４とを備え、着脱眼鏡２０が主眼鏡１０に取り付けられた状態において、主眼鏡１０のブリッジ１５に対応する部分にリム２３とリム２４を連結する固着部２６を備える。
【００１３】
図２は固着部２６を、図３は固着部２６を主眼鏡のブリッジ１５に取り付けた状態をそれぞれ示す。着脱眼鏡２０が主眼鏡１０に取り付けられた状態において、固着部２６には、主眼鏡のブリッジ前面１５ａに当接する当接面２６ａを有し、当接面２６ａに露出する永久磁石２９が設けられる。永久磁石２９は当接面２６ａの略中心に設けられ、当接面２６ａと永久磁石２９の露出面は略同一平面となるように形成されている。なお、永久磁石２９の表面にはブリッジ前面１５ａとの接触によるキズを防ぐため、厚さ０．３ｍｍ程度の樹脂の皮膜が設けられている。
【００１４】
固着部２６の上側には、位置決定部２７である第１の位置決定部材２７ａと第２の位置決定部材２７ｂとが連設されている。着脱眼鏡２０が主眼鏡１０に取り付けられた状態において、位置決定部材２７ａ、２７ｂは、ブリッジ１５の上面１５ｂと当接し、さらにリム１３、１４の外周部にそれぞれ係合するように形成される。固着部２６の下側の略中央にはずれ防止部２８が連設されており、着脱眼鏡２０が主眼鏡１０に取り付けられた状態において、ブリッジ１５の下面１５ｃと当接するように形成されている。
【００１５】
着脱眼鏡２０を主眼鏡１０に取り付けるには、固着部２６の当接面２６ａを主眼鏡のブリッジの前面１５ａに近づければよい。これにより、固着部２６は磁性体からなるブリッジ１５に容易に吸着する。この時、位置決定部２７は、主眼鏡１０の一対のリム１３、１４と係合するので、固着部２６はブリッジ１５の一定の位置に吸着し、着脱眼鏡２０は主眼鏡１０に対して常に同じ状態で取り付けられる。また、着脱眼鏡２０に力が加わっても、位置決定部２７とずれ防止部２８の作用により、着脱眼鏡２０が所定の位置からずれることはない。着脱眼鏡２０を主眼鏡１０から取り外すには、磁力による吸着力に抗して、固着部２６をブリッジ１５から離脱させればよい。
【００１６】
図４は第２の実施形態である着脱眼鏡の固着部を示す。第２の実施形態で第１の実施形態と相違するのは、位置決定部が一体的に形成され、ずれ防止部が設けられていない点である。すなわち、固着部２６の上側には、ブリッジ１５の上面１５ｂ（図３参照）の長さと略同一に形成された位置決定部３０が連設される。位置決定部３０は、着脱眼鏡２０が主眼鏡１０に取り付けられた状態において、上面１５ｂに当接し、リム１３及びリム１４に係合する。その他の構成は第１の実施形態と同一である。第２の実施形態においては、ずれ防止部が設けられないが、位置決定部がより広い面でブリッジ１５に当接するので、第１の実施形態と同様の効果を有する着脱眼鏡の取付装置を得ることができる。
【００１７】
図５は第３の実施形態である着脱眼鏡の固着部を示す。第３の実施形態で第２の実施形態と相違するのは、位置決定部にも永久磁石が設けられ、位置決定部もブリッジ１５に吸着する点である。すなわち、位置決定部３１において、ブリッジ１５の上面１５ｂ（図３参照）に当接する当接面３１ａには、永久磁石３２が設けられる。永久磁石３２は当接面３１ａの略中心に露出しており、当接面３１ａと永久磁石３２の露出面は略同一平面となるように形成されている。その他の構成は第２の実施形態と同一である。第３の実施形態では、着脱眼鏡において、主眼鏡のブリッジに当接する２面に磁石が設けられるため、固着する力が増し、さらに離脱しにくい着脱眼鏡の取付装置を得ることができる。
【００１８】
上記各実施形態によれば、主眼鏡１０においてブリッジ１５を磁性体で成型するのみでよく、付加的に取り付けられる着脱眼鏡２０のための特別な機構を設ける必要がない。また、着脱眼鏡２０もレンズ、リム及び固着部のみから製造されるので、部品点数が少なくて済む。
【００１９】
なお、上記各実施形態では着脱眼鏡２０をサングラスとしたが、これに限定するものではなく、近眼用の通常のマイナスレンズが嵌め込まれている眼鏡に、レンズがプラスレンズの着脱眼鏡を装着してもよい。マイナスレンズとプラスレンズを組み合わせることにより老眼に対応することができ、同一の眼鏡フレームで遠近両用に使用することが可能となる。
【００２０】
【発明の効果】
以上のように本発明によれば、部品点数が少なく、着脱が容易で、しかも着脱眼鏡が主眼鏡から離脱しにくい着脱眼鏡の取付装置が得られる。
【図面の簡単な説明】
【図１】本発明に係る実施形態が適用される主眼鏡及び着脱眼鏡を前方からみたときの斜視図である。
【図２】第１の実施形態における着脱眼鏡の固着部を拡大して示す後方から見たときの斜視図である。
【図３】第１の実施形態において、着脱眼鏡の固着部が主眼鏡のブリッジに取り付けられた状態を拡大して示す前方から見たときの斜視図である。
【図４】第２の実施形態における着脱眼鏡の固着部を拡大して示す後方から見たときの斜視図である。
【図５】第３の実施形態における着脱眼鏡の固着部を拡大して示す後方から見たときの斜視図である。
【符号の説明】
１０  主眼鏡
１５  ブリッジ
２０  着脱眼鏡
２６  固着部
２７、３０、３１  位置決定部
２８  ずれ防止部
２９、３２  永久磁石
【図１】
0003881594.tif 000002
【図２】
0003881594.tif 000003
【図３】
0003881594.tif 000004
【図４】
0003881594.tif 000005
【図５】
0003881594.tif 000006